(57)【特許請求の範囲】
【請求項１】
透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、複数の透明ＥＬパネルの出射光が重合した光を照射することを特徴とする照明装置。
【請求項２】
前記複数の透明ＥＬパネルは、互いに着脱自在となるよう構成され、重ね合わされたときに、各透明ＥＬパネルの出射光を重合した光を照射することを特徴とする請求項１に記載の照明装置。
【請求項３】
前記透明ＥＬパネルは、一方の面に陽極及び陰極端子が、他方の面に前記陽極及び陰極端子に夫々対応する端子受け部が設けられていることを特徴とする請求項２に記載の照明装置。
【請求項４】
前記器具本体は、前記複数の透明ＥＬパネルを収容する筐体を備えることを特徴とする請求項２又は請求項３に記載の照明装置。
【請求項５】
前記筐体は、該筐体の内面に設けた溝部に押さえ部材が嵌め込まれ、該押さえ部材が、前記透明ＥＬパネルを前記溝部で保持することを特徴とする請求項４に記載の照明装置。
【請求項６】
前記器具本体は、前記透明ＥＬパネルに対向する部分が、光反射性を有することを特徴とする請求項２乃至請求項５のいずれか一項に記載の照明装置。
【請求項７】
光反射層を有するＥＬパネルを更に備え、該光反射層を有するＥＬパネルが、重ね合わされた前記複数の透明ＥＬパネルの最外部に配置されることを特徴とする請求項２乃至請求項５のいずれか一項に記載の照明装置。
【請求項８】
前記複数の透明ＥＬパネルは、折り畳み自在に連結され、重ね合わされたときに、各透明ＥＬパネルの出射光を重合した光を照射することを特徴とする請求項１に記載の照明装置。
【請求項９】
前記複数の透明ＥＬパネルは、前記器具本体に対して、回動自在に保持され、重ね合わされたときに、各透明ＥＬパネルの出射光を重合した光を照射することを特徴とする請求項１に記載の照明装置。
【請求項１０】
前記複数の透明ＥＬパネルは、互いにスライド自在に構成され、重ね合わされたときに、各透明ＥＬパネルの出射光を重合した光を照射することを特徴とする請求項１に記載の照明装置。
【請求項１１】
前記器具本体は、前記透明ＥＬパネルのスライド方向に直交する方向に複数並設されたスライド溝を備えることを特徴とする請求項１０に記載の照明装置。
【請求項１２】
前記透明ＥＬパネルが、スライド扉の窓部に配設されていることを特徴とする請求項１０又は請求項１１に記載の照明装置。
【請求項１３】
前記透明ＥＬパネルによって引き戸が構成されていることを特徴とする請求項１０又は請求項１１に記載の照明装置。
【請求項１４】
前記複数の透明ＥＬパネルを個別に点灯制御する制御部を備えることを特徴とする請求項１乃至請求項１３のいずれか一項に記載の照明装置。
【請求項１５】
前記複数の透明ＥＬパネルは、夫々発光色が異なることを特徴とする請求項１乃至請求項１４のいずれか一項に記載の照明装置。
【請求項１６】
前記複数の透明ＥＬパネルの発光色は、ＲＧＢ三原色を含むことを特徴とする請求項１乃至請求項１５のいずれか一項に記載の照明装置。
【請求項１７】
前記複数の透明ＥＬパネルは、発光面の面積が互いに異なることを特徴とする請求項１乃至請求項１６のいずれか一項に記載の照明装置。
【発明の詳細な説明】
【技術分野】
【０００１】
本発明は、ＥＬ素子を用いた照明装置に関する。
【背景技術】
【０００２】
エレクトロルミネッセンス（ＥＬ）素子は、発光層を陽極及び陰極で挟持させた発光部が透明基板上に形成されたものであり、電極間に電圧印加されたとき、発光層にキャリアとして注入された電子及びホールの再結合により生成された励起子によって発光する。
【０００３】
ＥＬ素子は、発光層の蛍光物質に有機物を用いた有機ＥＬ素子と、無機物を用いた無機ＥＬ素子に大別される。特に、有機ＥＬ素子は、低電圧で高輝度の発光が可能であり、蛍光物質の種類によって様々な発光色が得られ、また、平面発光体としての製造が容易であるという特性がある。
【０００４】
ＥＬ素子の平面発光体としての特性を利用したものとして、例えば、矩形状の有機ＥＬパネルの各辺に、これと同形状のサブパネルを回動可能に連結した照明装置が知られている（例えば、特許文献１参照）。この照明装置は、サブパネルを回動させることにより、フラット型や箱型といった好みの形態に変形させえることができる。また、タイル式フラットパネルをヒンジ式コネクタで互いに連結させた照明装置が知られている（例えば、特許文献２参照）。この照明装置によれば、複数のパネルの連結形状を変化させたり、それらを適宜に点灯させることにより、光が照射される範囲を適宜に調整することができる。
【先行技術文献】
【特許文献】
【０００５】
【特許文献１】特開２００８−１８６５９９号公報
【特許文献２】特開２００５−５３６７０８号公報
【発明の開示】
【発明が解決しようとする課題】
【０００６】
しかしながら、上記特許文献１及び引用文献２に記載された照明装置は、複数のパネルの連結形状を変えることにより、光の照射範囲を変更することができるが、各パネルが個別に発光するので、照明装置の用途に応じて発光輝度を切り換えることはできない。
【０００７】
本発明は、上記課題を解決するものであって、照明装置の用途に応じて、ユーザが適宜に発光輝度を切り換えることができる照明装置を提供することを目的とする。
【課題を解決するための手段】
【０００８】
上記課題を解決するため、本発明は、透光性の基板上に透明導電膜から成る陽極、発光層及び透明導電膜から成る陰極を順に積層して成る透明のＥＬ素子で構成した複数の透明ＥＬパネルと、前記複数の透明ＥＬパネルの光出射領域が互いに重なり合うように前記透明ＥＬパネルを保持する器具本体と、を備え、複数の透明ＥＬパネルの出射光が重合した光を照射することを特徴とする。
【０００９】
上記照明装置において、前記複数の透明ＥＬパネルは、互いに着脱自在となるよう構成され、重ね合わされたときに、各透明ＥＬパネルの出射光を重合した光を照射することが好ましい。
【００１０】
上記照明装置において、前記透明ＥＬパネルは、一方の面に陽極及び陰極端子が、他方の面に前記陽極及び陰極端子に夫々対応する端子受け部が設けられていることが好ましい。
【００１１】
上記照明装置において、前記器具本体は、前記複数の透明ＥＬパネルを収容する筐体を備えることが好ましい。
【００１２】
上記照明装置において、前記筐体は、該筐体の内面に設けた溝部に押さえ部材が嵌め込まれ、該押さえ部材が、前記透明ＥＬパネルを前記溝部で保持することが好ましい。
【００１３】
上記照明装置において、前記器具本体は、前記透明ＥＬパネルに対向する部分が、光反射性を有することが好ましい。
【００１４】
上記照明装置において、光反射層を有するＥＬパネルを更に備え、該光反射層を有するＥＬパネルが、重ね合わされた前記複数の透明ＥＬパネルの最外部に配置されることが好ましい。
【００１５】
上記照明装置において、前記複数の透明ＥＬパネルは、折り畳み自在に連結され、重ね合わされたときに、各透明ＥＬパネルの出射光を重合した光を照射することが好ましい。
【００１６】
上記照明装置において、前記複数の透明ＥＬパネルは、前記器具本体に対して、回動自在に保持され、重ね合わされたときに、各透明ＥＬパネルの出射光を重合した光を照射することが好ましい。
【００１７】
上記照明装置において、前記複数の透明ＥＬパネルは、互いにスライド自在に構成され、重ね合わされたときに、各透明ＥＬパネルの出射光を重合した光を照射することが好ましい。
【００１８】
上記照明装置において、前記器具本体は、前記透明ＥＬパネルのスライド方向に直交する方向に複数並設されたスライド溝を備えることが好ましい。
【００１９】
上記照明装置において、前記透明ＥＬパネルが、スライド扉の窓部に配設されていることが好ましい。
【００２０】
上記照明装置において、前記透明ＥＬパネルによって引き戸が構成されていることが好ましい。
【００２１】
上記照明装置において、前記複数の透明ＥＬパネルを個別に点灯制御する制御部を備えることが好ましい。
【００２２】
上記照明装置において、前記複数の透明ＥＬパネルは、夫々発光色が異なることが好ましい。
【００２３】
上記照明装置において、前記複数の透明ＥＬパネルの発光色は、ＲＧＢ三原色を含むことが好ましい。
【００２４】
上記照明装置において、前記複数の透明ＥＬパネルは、発光面の面積が互いに異なることが好ましい。
【発明の効果】
【００２５】
本発明の照明装置によれば、重ね合わされる透明ＥＬパネルの個数を変更することにより、発光輝度を適宜に切り換えることができる。
【図面の簡単な説明】
【００２６】
【図１】本発明の第１の実施形態に係る照明装置の分解斜視図。
【図２】（ａ）（ｂ）は同照明装置の側断面図。
【図３】同照明装置に用いられるＥＬ素子の概略構成を示す側断面図。
【図４】（ａ）（ｂ）は同照明装置の他の構成を示す分解斜視図。
【図５】同照明装置の他の構成を示す側断面図。
【図６】同照明装置の他の構成を示す分解斜視図。
【図７】同照明装置の他の構成を示す側断面図。
【図８】（ａ）は同照明装置の他の構成を示す分解斜視図、（ｂ）は同側断面図。
【図９】同照明装置の他の構成を示す分解斜視図。
【図１０】同照明装置の他の構成を示す側断面図。
【図１１】（ａ）（ｂ）は同照明装置の他の構成を示す分解斜視図。
【図１２】同照明装置の他の構成を示す分解斜視図。
【図１３】（ａ）（ｂ）は同照明装置の他の構成を示す分解斜視図。
【図１４】（ａ）（ｃ）は本発明の第２の実施形態に係る照明装置の斜視図、（ｂ）（ｄ）（ｅ）（ｆ）は同側面図。
【図１５】（ａ）（ｂ）は同照明装置の他の構成を示す斜視図。
【図１６】（ａ）（ｂ）は同照明装置の他の構成を示す斜視図。
【図１７】（ａ）（ｂ）は同照明装置の他の構成を示す斜視図。
【図１８】（ａ）（ｂ）は同照明装置の他の構成を示す斜視図。
【図１９】（ａ）（ｂ）は同照明装置の他の構成を示す斜視図。
【図２０】（ａ）（ｂ）は同照明装置の他の構成を示す斜視図。
【図２１】（ａ）（ｂ）は同照明装置の他の構成を示す斜視図。
【図２２】（ａ）（ｂ）は同照明装置の他の構成を示す側面図、（ｃ）は同斜視図。
【図２３】（ａ）（ｂ）は同照明装置の他の構成を示す斜視図。
【図２４】（ａ）（ｂ）は本発明の第３の実施形態に係る照明装置の斜視図。
【図２５】同照明装置の他の構成を示す斜視図。
【図２６】（ａ）（ｂ）は本発明の第４の実施形態に係る照明装置の斜視図。
【図２７】（ａ）（ｂ）は同照明装置の他の構成を示す斜視図。
【図２８】（ａ）（ｂ）は同照明装置の他の構成を示す斜視図。
【発明を実施するための形態】
【００２７】
本発明の第１の実施形態に係る照明装置について、図１乃至図３を参照して説明する。ここでは、本実施形態の照明装置１が、天井Ｃに埋め込まれる埋め込み式ダウンライトとして用いられる構成に基いて説明する。また、図面下方向を光導出方向とする。照明装置１は、図１及び図２（ａ）（ｂ）に示すように、複数の透明なＥＬパネル２と、これら複数のＥＬパネル２の光出射領域が互いに重なり合うようにＥＬパネル２を保持する器具本体３と、を備える。各ＥＬパネル２は、夫々同形状であり、互いに着脱自在となるよう構成される。
【００２８】
ＥＬパネル２は、円板状に形成された透明なＥＬ素子２０が、環状のパネル枠２１に組み込まれて、１個のモジュールとして構成されたものである。ＥＬ素子２０は、後述するように、透明であるので、ＥＬパネル２は、複数のものを重ね合わせた状態において、それ自体が発光して光を出射すると共に、他のＥＬパネル２から出射された光を透過する。従って、照明装置１が、ダウンライトとして用いられた場合、下段に重ね合わされたＥＬパネル２が、上段のＥＬパネル２の光を重合した光を照射する。
【００２９】
パネル枠２１には、一方の面に陽極端子２２ａ及び陰極端子２２ｂが、他方の面に陽極端子２２ａ及び陰極端子２２ｂに夫々対応する端子受け部２３ａ，２３ｂが設けられる。各端子２２ａ，２２ｂは凸形状に、また、端子受け部２３ａ，２３ｂは凹形状に形成され、各端子２２ａ，２２ｂが端子受け部２３ａ，２３ｂに嵌まり込むことにより、ＥＬパネル２同士が電気的に接続される。また、陽極端子２２ａと陰極端子２２ｂとは、夫々異なる形状に形成されており、陽極端子２２ａは、陰極用の端子受け部２３ｂに嵌まり込まないように、陰極端子２２ｂは、陽極用の端子受け部２３ａに嵌まり込まないように構成されている。図例では、陽極端子２２ａが円筒形状、陰極端子２２ｂがやや細長いタブレット形状に形成され、各端子受け部２３ａ，２３ｂもそれらに対応した形状に形成されている。こうすれば、ユーザが、複数のＥＬパネル２を重ね合わせるときに、夫々の端子を間違って接続してしまうことを防止できる。また、パネル枠２１には、ＥＬ素子２０の発光部（詳細は後述する）の位置を避けるように貫通孔２４が設けられ、この貫通孔２４に挿通されるネジ３１によって、ＥＬパネル２が、器具本体３に保持される。
【００３０】
器具本体３は、複数の透明ＥＬパネルを収容するための円筒形状の筐体３２と、筐体３２内を２つの収容空間に、ＥＬパネル２が当接する基部３３と、天井Ｃに当接する鍔部３４とを備える。複数のＥＬパネル２は、基部３３によって区分けされた筐体３２内の一方の空間に収容され、他方の空間には、ＥＬパネル２を点灯制御するための点灯回路や制御用のマイコン（制御部）等を内蔵した電源ユニット４が収容される。基部３３は、筐体３２の内周面に接着又は溶接により強固に固定されている。電源ユニット４は、導線４１によって商用電源（不図示）に接続される。器具本体３は、筐体３２の外面側に器具固定部材（不図示）が設けられ、この器具固定部材と鍔部３４とが天井Ｃを構成する板材を挟みこむことにより、器具本体３が天井Ｃに固定される。また、筐体３２の外面には、放熱性を向上させるための複数の放熱フィン（不図示）が設けられていてもよい。
【００３１】
基部３３には、ＥＬパネル２の端子受け部２３ａ，２３ｂと同形状の本体端子受け部３３ａ，３３ｂが設けられ、本体端子受け部３３ａ，３３ｂは、基部３３に設けられた回路配線（不図示）によって電源ユニット４に接続される。また、本体端子受け部３３ａ，３３ｂにＥＬパネル２の陽極端子２２ａ及び陰極端子２２ｂが夫々嵌り込むことにより、電源ユニット４とＥＬパネル２とが電気的に接続される。また、基部３３には、ＥＬパネル２を器具本体３に固定するため、ネジ３１が挿通されるネジ固定孔３３ｃが設けられている。なお、本例のように、ネジ３１でＥＬパネル２を器具本体３に固定する構成においては、用いられるＥＬパネル２の個数が少ないとき、ネジ３１が、基部３３の上方に大きく突出することがある。そのため、電源ユニット４及び導線４１等は、ネジ固定孔３３ｃが形成される位置を避けるように基部３３の上面側に配置されることが望ましい。
【００３２】
ＥＬ素子２０は、図３に示すように、透光性を有する基板２５上に、発光部２６を形成し、その外側を封止材２７で被覆した構成となっている。発光部２６は、透明導電膜から成る陽極２６ａ、発光機能を有する発光層２６ｂ、透明導電膜から成る陰極２６ｃを、順に基板２５上に積層形成したものである。陽極２６ａ及び陰極２６ｃを成す透明導電膜は、ＩＴＯ（酸化インジウムスズ）、ＳｎＯ２（酸化スズ）、ＺｎＯ（酸化亜鉛）等の透光性の導電材料で構成される。封止材２７は、透明な材料から構成され、各電極の一部が露出するように被覆され、これら電極の露出部は、直接又はリード線等を介して陽極端子２２ａ又は陰極端子２２ｂに電気的に接続される。
【００３３】
基板２５は、ソーダライムガラスや無アルカリガラス等の透光性ガラス、又は透光性樹脂材料等から成り、円板形状に形成されている。
【００３４】
陽極２６ａは、発光層２６ｂにホールを注入するための電極であり、仕事関数の大きい金属、合金、導電性化合物又はこれらの混合物から成る電極材料が用いられ、好ましくは、仕事関数が４ｅＶ以上のものが用いられる。特に、ＩＴＯ、ＳｎＯ２（酸化スズ）、ＺｎＯ（酸化亜鉛）等の透光性の導電材料が好ましい。陽極２６ａは、これらの電極材料を、基板２５の表面に、例えば、真空蒸着法やスパッタリング法等の方法により成膜及びパターニングすることによって形成される。
【００３５】
発光層２６ｂは、所望の白色光を発光させ得る有機蛍光材料が用いられ、例えば、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチルベンゼン誘導体、ジスチルアリーレン誘導体、及びこれらの発光性化合物から成る基を分子構造の一部に有する化合物、高分子材料、各種蛍光色素の混合材料等が用いられる。
【００３６】
発光層２６ｂは、陽極２６ａの表面に上述した化合物を、例えば、真空蒸着法により成膜及びパターニングすることによって形成される。なお、発光層２６ｂは、複数の異なる材料が積層されたものであってもよく、これら複数層の間に電位を調整するためのバッファ層を介在させてもよい。
【００３７】
陰極２６ｃは、発光層２６ｂに電子を注入するための電極であり、陽極２６ａと同様に、ＩＴＯ、ＳｎＯ２、ＺｎＯ等の透光性の導電材料によって形成される。また、陰極２６ｃも陽極２６ａと同様の方法により形成される。なお、陽極２６ａ及び発光層２６ｂの間には、陽極２６ａから発光層２６ｂへのホール注入効果を促進するホール注入・輸送層（不図示）が設けられてもよい。また、発光層２６ｂ及び陰極２６ｃの間には、好ましくは、陰極２６ｃから発光層２６ｂへの電子注入効果を促進する電子注入・輸送層（図示せず）が設けられる。
【００３８】
このように構成されたＥＬ素子２０においては、パネル枠２１の各端子２２ａ，２２ｂ（図１及び図２参照）を介して、陽極２６ａ及び陰極２６ｃに所定の電力が供給されることにより、発光層２６ｂが発光する。発光した光は、陽極２６ａ及び陰極２６ｃを透過してＥＬ素子２０外へ取り出される。なお、ＥＬ素子２０の上面には、基板２５からの光取り出し効率を高めるための拡散層（不図示）等が、透明性を損じない程度に設けられてもよい。
【００３９】
本実施形態の照明装置１によれば、複数のＥＬパネル２が、器具本体３に対して着脱自在となっているので、重ね合わされるＥＬパネル２の個数を容易に変更することができる。そして、照明装置１の発光輝度を大きくする場合は、重ね合わされるＥＬパネル２の個数を多くし、発光輝度を小さくする場合は、重ね合わされるＥＬパネル２の個数を少なくする。こうすれば、照明装置１の用途に応じて、ユーザが適宜に、照明装置１の発光輝度を切り換えることがきる。また、ＥＬパネル２は、夫々同一形状にモジュール化されているので、製造者にとっては、型番数を少なくすることができ、製造効率を向上させることができる。また、ユーザにとっては、器具本体に適合する型番のものを探す必要がないので、製品を手間無く購入することができる。
【００４０】
基部３３のうち、ＥＬパネル２に対向する部分は、白色塗料の塗布される、又は反射膜等が形成される等によって光反射性を有するように構成されることが好ましい。こうすれば、ＥＬパネル２から、基部３３の方へ出射された光が、基部３３の表面で反射されて光導出方向へ向かうので、光利用効率を向上させることができる。
【００４１】
また、ＥＬパネル２と同じ形状に形成され、陰極２６ｃにアルミニウム等の光反射性材料を用いることにより、光反射性を有するように構成された反射性ＥＬパネル（不図示）を、重ね合わされた複数のＥＬパネル２の最外部に、別個配置してもよい。本例においては、基部３３と当接する位置に、光反射性ＥＬパネルが配置される。こうすれば、上記と同様に、基部３３の方へ出射された光が反射されて、光導出方向へ向かうので、光利用効率を向上させることができる。
【００４２】
また、各端子２２ａ，２２ｂ及び端子受け部２３ａ，２３ｂに、複数の電気回路が内装され、重ね合わされた複数のＥＬパネル２が夫々独立して電源ユニット４の制御部に接続され、各ＥＬパネル２が個別に点灯制御されるように構成されることが好ましい。こうすれば、重ね合わされたＥＬパネル２のうち、点灯させるＥＬパネル２の個数を変更することにより、ＥＬパネル２を取り外すことなく、発光輝度を任意に切り換えることができる。また、例えば、発光輝度を小さくする場合、下段側のＥＬパネル２を点灯させる。すなわち、上段のＥＬパネル２から出射された光は、下段のＥＬパネル２を透過する際に、全反射等によって僅かながら損失する。従って、下段側のＥＬパネル２から優先的に点灯させることにより、他のＥＬパネル２を透過することによる光の損失を抑制でき、光利用（光取り出し）効率を向上させることができる。
【００４３】
また、複数のＥＬパネル２は、夫々発光色が異なるように構成されていてもよい。この場合、例えば、複数のＥＬパネル２の発光色は、ＲＧＢ三原色を含むように構成される。この構成においては、各ＥＬパネル２の出力を調整することにより、白色光を含むフルカラー照明が可能となり、例えば、照明装置１が用いられる空間のシチェーションに応じて、照射光の演色性を変化させるような照明演出を行なうことができる。
【００４４】
次に、本実施形態の照明装置１の他の構成について、特に、ＥＬパネル２の保持構造や、ＥＬパネル２及び器具本体３の形状、及び上述した埋め込み式ダウンライト以外の形態等について、図４乃至図１３を参照して説明する。
【００４５】
図４（ａ）（ｂ）は、ＥＬパネル２を筐体３２内に保持するための保持枠が設けられた構成を示す。図４（ａ）に示す構成は、器具本体３の鍔部３４と同形状に形成された環状の保持枠５１を備えたものである。鍔部３４及び保持枠５１の双方にネジ孔３４ａ，５１ａが形成され、このネジ孔３４ａ，５１ａにネジ３１を挿通させることにより、鍔部３４と保持枠５１とが接合される。また、筐体３２内には、弾性を有し、ＥＬパネル２のパネル枠２１と略同形状に形成された環状の間隔調整部材５２が配置される。つまり、ＥＬパネル２は、基部３３と保持枠５１に挟まれた空間において、弾性を有する間隔調整部材５２によって押圧されることにより、器具本体３内に保持される。
【００４６】
また、図４（ｂ）に示す構成は、ＥＬパネル２の外径よりも僅かに大きな内径の筒部５３ａと、ＥＬ素子２０と略同形状の開口が形成された縁部５３ｂとを有する保持枠５３を備えたものである。筐体３２の内周面にはネジ溝が形成され、このネジ溝に対応するように、筒部５３ａの外周面にもネジ溝が形成されている。そして、筒部５３ａを筐体３２にネジ挿入することにより、保持枠５３が器具本体３に固定される。その結果、ＥＬパネル２は、基部３３と縁部５３ｂに挟まれた空間において、器具本体３内に保持される。なお、図４（ａ）に示した構成と同様に、間隔調整部材５２が適宜に配置されてもよい。また、保持枠５３に換えて、筐体３２の内周面に形成されたネジ溝に、このネジ溝の周径よりも僅かに大きな周径の環状バネ（不図示）を嵌め込み、この環状バネでＥＬパネル２を保持してもよい。
【００４７】
図５は、筐体３２の内周面に、ＥＬパネル２の厚みと同じ幅で複数の溝部３５が形成され、溝部３５に、押さえ部材として、バネ片５４の一部が嵌め込まれ、このバネ片５４によってＥＬパネル２が保持される構成を示す。バネ片５４は、溝部３５に嵌め込まれた状態で、溝部３５から突出した部分が、基部３３側へ付勢されるように形成されている。そして、この付勢されたバネ片５４が、ＥＬパネル２のパネル枠２１の下面側を支持することによって、ＥＬパネル２はバネ片５４が嵌め込まれた位置で筐体３２内に保持される。この構成においては、パネル枠２１にバネ受け部（不図示）が形成されていることが望ましい。なお、上述した構成は、ＥＬパネル２が円板形状で、筐体３２が筒形状のものを示したが、図６に示すように、ＥＬパネル２が矩形状で、筐体３２が箱型形状であってもよい。この場合、各ＥＬパネル２を保持する構造として、上記図４（ａ）及び図５に示した構成を用いることができる。
【００４８】
また、本実施形形態の照明装置１は、上述した天井埋め込み型のダウンライトに限らず、例えば、図７に示すように、床面Ｆに埋め込まれる埋め込み型照明器具として用いることができる。この構成においては、各ＥＬパネル２は、各端子２２ａ，２２ｂ及び各端子受け部２３ａ，２３ｂ，３３ａ，３３ｂによって位置決めされ、自重によって器具本体３に保持されるので、別段の保持構造を要しない。この埋め込み型の照明装置１は、鍔部３４が床面Ｆに埋め込まれて、床面Ｆ上に突出しないように設置される。また、鍔部３４には、ＥＬパネル２を保護するための保護カバー３６が取り付けられる。
【００４９】
図８（ａ）（ｂ）は、照明装置１がシーリングライトとして用いられる構成を示す。この構成においては、器具本体３がネジ３１によって直接的に天井Ｃに固定される。また、器具本体３及びＥＬパネル２のパネル枠２１の下面には、円穴と長穴とを組み合わせたダルマ穴形状の端子受け部２３ａ，２３ｂ，３２ａ，３２ｂが形成される。一方、器具本体３及びＥＬパネル２のパネル枠２１の下面には、ネジ頭形状の各端子２２ａ，２２ｂが形成される。そして、端子受け部２３ａ，２３ｂ,３２ａ，３２ｂの円穴部分に、各端子２２ａ，２２ｂを通した後、取り付けようとするＥＬパネル２を僅かに回転させる。これにより、ネジ頭形状の各端子２２ａ，２２ｂが、端子受け部２３ａ，２３ｂ,３２ａ，３２ｂの長穴部分に係合し、器具本体３及びＥＬパネル２、又はＥＬパネル２同士が固定される。この構成によれば、別途の保持部材を用いずに、器具本体３にＥＬパネル２を取り付けられ、上段のＥＬパネル２に、直接的に下段のＥＬパネル２を取り付けることができる。なお、重ね合わされるＥＬパネル２のうち、最下段には、端子受け部２３ａ，２３ｂが設けられていないＥＬパネル２ａを取り付けることが望ましい。
【００５０】
また、シーリングライトにおいても、図９に示すように、矩形のＥＬパネル２を用いることができる。この場合、器具本体３の側部にフック部材５５を設け、このフック部材５５によってＥＬパネル２が保持されるように構成されてもよい。また、図示したように、角枠５６をフック部材５５に係止させ、角枠５６及び器具本体３でＥＬパネル２を挟持することにより、ＥＬパネル２が保持されるように構成されてもよい。
【００５１】
図１０は、器具本体３が、囲い枠５７の底面を介して天井Ｃに固定され、この囲い枠５７内にＥＬパネル２が保持されるように構成されたものである。具体的な保持構造は、上述したいずれかのものが用いられる。また、この場合においても、図１１（ａ）（ｂ）に示すように、円形及び矩形のいずれのＥＬパネル２が用いられてもよい。
【００５２】
更に、複数のＥＬパネル２は、発光面の面積が互いに異なるものであってもよい。この場合、図１２に示すように、上段に発光面の面積が大きなＥＬパネル２が取り付けられ、下段になる程、順次発光面の面積が小さなＥＬパネル２が取り付けられることが望ましい。また、この構成においては、器具本体３及び各ＥＬパネル２間の電気的接続は、例えば、リード線等によってなされる。
【００５３】
図１３（ａ）（ｂ）は、照明装置１がスポットライトとして用いられる構成を示す。この構成においては、器具本体３が支持軸５８を介して天井Ｃに固定されると共に、器具本体３と支持軸５８との間にヒンジ部６１が設けられ、器具本体３が首振り自在となっている。この構成においても、重ね合わされるＥＬパネル２は、図１３（ａ）に示す円形であっても、図１３（ｂ）に示す矩形であってもよい。また、各ＥＬパネル２は、器具本体３の筐体３２内に内装されるものであってもよいし、筐体３２外へ積層されるものであってもよい。
【００５４】
次に、本発明の第２の実施形態に係る照明装置について、図１４乃至図２３を参照して説明する。本実施形態の照明装置１は、複数のＥＬパネル２が、折り畳み自在に連結され、重ね合わされたときに、各ＥＬパネル２の出射光を重合した光を照射するものである。
【００５５】
図１４（ａ）乃至（ｆ）は、照明装置１が、天井Ｃに取り付けられるシーリングライトとして用いられる構成を示す。この照明装置１は、天井Ｃに固定される台座部３７（器具本体３）に、筒状の軸受け部６２を介して一対の支持部材６３が接合され、各支持部材６３に夫々ＥＬパネル２が固定されている。軸受け部６２は、折り曲げ軸（不図示）を内装し、一対の支持部材６３及びＥＬパネル２を、０〜１８０°の範囲で折り曲げ自在とする。支持部材６３は、軸受け部６２との接合部と反対側の側面にパネル挿入溝６４が形成されている。台座部３７又は軸受け部６２には、電源ユニット（不図示）が内装され、支持部材６３のパネル挿入溝の内部に形成された端子受け部（不図示）とリード線等によって電気的に接続されている。また、ＥＬパネル２の側部に電極端子（不図示）が設けられ、パネル挿入溝６４にＥＬパネル２が差し込まれることにより、ＥＬパネル２が支持部材６３に固定されると共に、電源ユニットと電気的に接続される。また、この構成は、図１５（ａ）（ｂ）に示すように、支持軸５８による吊り下げ式のシーリングライトとして用いることもできる。この場合、照明装置１は、台座部３７に換えて、支持軸５８を介して天井Ｃに固定される。
【００５６】
本実施形態においては、図１４（ａ）（ｂ）、図１５（ａ）に示すように、各ＥＬパネル２を水平配置にすれば、広い範囲に、低輝度の光を照射することができる。また、ＥＬパネル２は両面から光を出射するので、天井Ｃ方向及び床方向の両方に光を照射することができる。また、図１４（ａ）（ｂ）、図１５（ｂ）に示すように、各ＥＬパネル２を垂直配置にすれば、狭い範囲に高輝度の光を照射することができる。更に、図１４（ｅ）（ｆ）に示すように、各ＥＬパネル２の折り曲げ角度は任意であり、この折り曲げ角度を変えることにより、光の照射範囲及び輝度をユーザが任意に変更することができる。
【００５７】
図１６乃至図１８は、照明装置１が、スタンドライトとして用いられる構成を示す。図１６（ａ）（ｂ）は、Ｌ字形状に屈曲した支持アーム５９が、器具本体３に対して回転自在に立設され、この支持アーム５９の上辺にヒンジ部６１を介して一対のＥＬパネル２が取り付けられた構成を示す。また、図１７（ａ）（ｂ）は、矩形状のＥＬパネル２の一辺が器具本体３に対して角度可変に取り付けられ、他辺がヒンジ部６１を介して別のＥＬパネル２と連結されている構成を示す。なお、図１８（ａ）（ｂ）に示すように、連結される各ＥＬパネル２が互いに異なる形状であってもよい。この構成によれば、図１６（ａ）、図１７（ａ）、図１８（ａ）に示すように、各ＥＬパネル２の折り曲げ角度を１８０°にすれば、広い範囲に低輝度の光を照射することができる。また、図１６（ｂ）、図１７（ｂ）、図１８（ｂ）に示すように、各ＥＬパネル２を重ね合わせれば、狭い範囲に高輝度の光を照射することができる。なお、図１６（ａ）（ｂ）における白抜矢印は、ＥＬパネル２からの照射光の輝度の変化をイメージとして示したものである。
【００５８】
図１９乃至図２３は、照明装置１が、２つ以上の折り曲げ部を有する構成を示す。図１９及び図２０は、図１４及び図１５で示したシーリングライトと同様のものであり、器具本体３に対して、２枚のＥＬパネル２が夫々ヒンジ部６１を介して取り付けられた構成を示す。図１９（ａ）（ｂ）は、器具本体３が天井Ｃに固定されている構成を示し、図２０（ａ）（ｂ）は、支持軸５８による吊り下げ式の構成を示す。図２０（ａ）（ｂ）に示す構成においては、器具本体３と天井とが離れているので、ヒンジ部６１は、図示したように、器具本体３の側部に設けられることが望ましい。こうすれば、より広い範囲で各ＥＬパネル２を回動させることができる。
【００５９】
図２１（ａ）（ｂ）は、床面Ｆに載置された台座部３７（器具本体３）に支持軸５８が立設され、支持軸５８の上端に上底部６５が配置されると共に、上底部６５に夫々ヒンジ部６１を介して一対のＥＬパネル２が取り付けられている構成を示す。この構成によれば、図２１（ａ）に示すように、ＥＬパネル２を広げた状態にすれば、照明を兼ねたテーブルとして機能させることができる。また、図２１（ｂ）に示すように、ＥＬパネル２を畳んだ状態にすれば、メッセージボードとして機能させることができる。
【００６０】
図２２（ａ）乃至（ｃ）は、照明装置１が、フロアスタンドライトとして用いられる構成を示す。この照明装置１は、床面Ｆ上の台座部３７（器具本体３）に長尺の支持軸５８が立設され、支持軸５８の上端にＥＬパネル２が水平に配置されると共に、このＥＬパネル２の対向する辺に接続部６６ａ，６６ｂを介して夫々ＥＬパネル２が設けられたものである。各接続部６６ａ，６６ｂはヒンジを内蔵し、各ＥＬパネル２を折り曲げ自在に連結する。また、一方の接続部６６ｂは、他方の接続部６６ａよりもＥＬパネル２の厚み分長く形成されているので、図２２（ｂ）に示すように、接続部６６ａによって接続されたＥＬパネル２を折り畳んだ後、接続部６６ｂによって接続されたＥＬパネル２をスムーズに折り畳むことができる。
【００６１】
図２３（ａ）（ｂ）は、複数のＥＬパネル２が複数のヒンジ部６１を介して連結された構成を示す。各ＥＬパネル２は、図２３（ａ）に示すような同形状であってもよいし、図２３（ｂ）に示すように夫々異なる形状であってもよい。この照明装置１は、上述した構成と同様に、ヒンジ部６１の折り曲げ角度を変えることにより、光の照射範囲及び輝度をユーザが任意に変更することができる。また、図例のように折り曲げたときは、「光る屏風」として利用することができる。
【００６２】
次に、本発明の第３の実施形態に係る照明装置について、図２４及び図２５を参照して説明する。本実施形態の照明装置１は、複数のＥＬパネル２は、器具本体３に対して、回動自在に保持され、重ね合わされたときに、各ＥＬパネル２の出射光を重合した光を照射するものである。
【００６３】
図２４（ａ）（ｂ）は、照明装置１が、スタンドライトとして用いられる構成を示す。この照明装置１は、Ｌ字形状に屈曲した２本の支持アーム５９が、器具本体３に対して夫々回転自在に立設され、支持アーム５９の屈曲部の先端に夫々ＥＬパネル２が取り付けられたものである。各支持アーム５９の高さが、ＥＬパネル２の厚み分夫々異なり、また屈曲部の長さも、器具本体３への立設位置に応じて異なり、図２４（ｂ）に示すように、一方のＥＬパネル２を、他方のＥＬパネル２に重ね合わすことができるように構成される。また、図２５は、照明装置１が、シャンデリア型照明として用いられる構成を示す。図例では、３枚のＥＬパネル２を取り付けた例を示すが、４枚以上のＥＬパネル２が取り付けられてもよい。この構成によれば、ＥＬパネル２を器具本体３に対して回動させることにより、上述した実施形態と同様に、光の照射範囲及び輝度をユーザが任意に変更することができる。
【００６４】
次に、本発明の第４の実施形態に係る照明装置について、図２６乃至図２８を参照して説明する。本実施形態の照明装置１は、複数のＥＬパネル２が、互いにスライド自在に構成され、重ね合わされたときに、各ＥＬパネル２の出射光を重合した光を照射するものである。
【００６５】
図２６（ａ）（ｂ）は、照明装置１が、スタンドライトとして用いられる構成を示す。この照明装置１は、器具本体３に対してヒンジ部６１を介してＥＬパネル２が角度可変に取り付けられ、このＥＬパネル２の両側部に一対のスライドレール３８が設けられている。そして、スライドレール３８によって別のＥＬパネル２がスライド自在に保持されている。この構成によれば、図２６（ａ）に示すように、スライド自在となったＥＬパネル２を、スライドレールの先端方向にスライドさせれば、広い範囲に、低輝度の光を照射することができる。また、図２６（ｂ）に示すように、各ＥＬパネル２を重ね合わせれば、狭い範囲に高輝度の光を照射することができる。
【００６６】
図２７（ａ）（ｂ）は、照明装置１が、吊り下げ式のシーリングドライトとして用いられる構成を示す。この照明装置１は、器具本体３の内側面に、ＥＬパネル２のスライド方向に直交する方向に複数並設されたスライド溝３９を備えるものである。各ＥＬパネル２は、ＥＬパネル２の厚み分、異なる高さで器具本体３に保持されているので、スライド溝３９に沿ってＥＬパネル２をスライドさせることにより、図２７（ａ）に示すように、広い範囲に、低輝度の光を照射することができる。また、図２７（ｂ）に示すように、各ＥＬパネル２を重ね合わせれば、狭い範囲に高輝度の光を照射することができる。
【００６７】
図２８（ａ）は、ＥＬパネル２が、スライド扉７の窓部に配設されている構成を示す。スライド扉７を保持するスライド枠７１には、給電線が内装され（不図示）、この給電線からＥＬパネル２へ電力が供給される。この構成において、ＥＬパネル２は、光を透過するので、消灯時は採光用の窓として機能し、点灯時は照明器具として機能する。また、スライド扉７をスライドさせて、ＥＬパネル２を重ね合わせることにより、上述した構成と同様に、高輝度の光を照射することができる。また、図２８（ｂ）は、ＥＬパネル２によって収納家具８の引き戸８１が構成された例を示す。この構成においても、上述した構成と同様に、ＥＬパネル２をスライドさせることにより、光の照射範囲と輝度とを、ユーザが適宜に変更することができる。
【００６８】
なお、本発明は、上述の実施形態に限られることなく種々の変形が可能である。ＥＬパネル２は、直径又は一辺の寸法が比較的小さく、例えば、２００ｍｍ程度であれば、面一の発光部２６（図３参照）により構成される。しかし、それ以上の寸法の場合、電圧降下による光ムラが生じないように、複数の発光部２６が格子状に配列されたものを用いることが好ましい。また、その場合、複数の発光部２６が、夫々個別に制御可能なように配線等の設計がなされることが更に好ましい。
【符号の説明】
【００６９】
１    照明装置
２    ＥＬパネル（透明ＥＬパネル）
２２ａ    陽極端子
２２ｂ    陰極端子
２３ａ    （陽極陽）端子受け部
２３ｂ    （陰極用）端子受け部
３    器具本体
３２    筐体
３３    基部（ＥＬパネルに対向する部分）
３５    溝部
３９    スライド溝
４    電源ユニット（制御部）
５４    バネ片（押さえ部材）
７    スライド扉
８１    引き戸
【図１】
0005760193.tif 000002
【図２】
0005760193.tif 000003
【図３】
0005760193.tif 000004
【図４】
0005760193.tif 000005
【図５】
0005760193.tif 000006
【図６】
0005760193.tif 000007
【図７】
0005760193.tif 000008
【図８】
0005760193.tif 000009
【図９】
0005760193.tif 000010
【図１０】
0005760193.tif 000011
【図１１】
0005760193.tif 000012
【図１２】
0005760193.tif 000013
【図１３】
0005760193.tif 000014
【図１４】
0005760193.tif 000015
【図１５】
0005760193.tif 000016
【図１６】
0005760193.tif 000017
【図１７】
0005760193.tif 000018
【図１８】
0005760193.tif 000019
【図１９】
0005760193.tif 000020
【図２０】
0005760193.tif 000021
【図２１】
0005760193.tif 000022
【図２２】
0005760193.tif 000023
【図２３】
0005760193.tif 000024
【図２４】
0005760193.tif 000025
【図２５】
0005760193.tif 000026
【図２６】
0005760193.tif 000027
【図２７】
0005760193.tif 000028
【図２８】
0005760193.tif 000029